(57)【要約】【課題】    印刷文書を取り出したユーザを特定するために、取り出したユーザの生体情報を印刷物に記録、残留させる印刷システムを提供する。【解決手段】  印刷システム１００は、カメラ４０にて撮影したユーザ７０の顔画像を、顔認証処理装置２０に登録した顔画像と照合し、ユーザ７０に印刷権限があるかを判別する。ユーザ７０に印刷権限がある場合、印刷システム１００は、印刷データ蓄積部３２１に蓄積した印刷データにて生成されるページ画像の空きスペースにユーザ７０の顔写真を割付けるとともに、ユーザの顔画像を割り付けた文書６０のページ画像に、ユーザ７０の顔画像の画像データを特定する情報を電子すかし処理にて埋め込んだ文書６０を印刷する。【選択図】  図１
2008134818.tif 000002
【特許請求の範囲】
【請求項１】
印刷装置で印刷された文書の取り出し操作を行う利用者の生体情報を取得する取得手段と、
前記取得手段で取得した生体情報が付与された印刷文書を出力する出力手段と
を具備する印刷システム。
【請求項２】
前記生体情報は、
前記利用者の顔画像であり、
前記取得手段は、
前記印刷装置の近傍に設けられ、前記利用者の顔を撮像するカメラであり、
前記出力手段は、
前記印刷文書の画像に前記カメラで撮像した画像を合成して印刷出力する請求項１記載の印刷システム。
【請求項３】
前記生体情報は、
前記利用者の指紋画像であり
前記取得手段は、
前記印刷装置の近傍に設けられ、前記利用者の所定の指の押下操作により該指の指紋画像を読み取る読取手段であり、
前記出力手段は、
前記印刷文書の画像に前記読取手段で読み取った指紋画像を合成して印刷出力する請求項１記載の印刷システム。
【請求項４】
前記生体情報は、
前記利用者の指紋画像であり
前記取得手段は、
前記印刷装置の給紙トレイに蓄積された印刷用紙に前記利用者の所定の指を押し付けることにより該印刷用紙に該指の指紋画像を転写する転写手段であり、
前記出力手段は、
前記転写手段により前記利用者の指紋画像が転写された用紙を用いて印刷した印刷文書を出力する請求項１に記載された印刷システム。
【請求項５】
印刷装置で印刷された文書の取り出し操作を行う利用者の生体情報を取得する取得手段と、
前記印刷装置で印刷する印刷ジョブを蓄積するジョブ蓄積手段と、
前記ジョブ蓄積手段に蓄積された印刷ジョブの印刷を許可する利用者の生体情報を登録する登録手段と、
前記取得手段で取得した生体情報が前記登録手段に登録されている生体情報と一致することを条件に前記ジョブ蓄積手段に蓄積された印刷ジョブを印刷を許可する印刷許可手段と、
前記印刷許可手段で許可された印刷ジョブの印刷画像に該当生体情報を付与する生体情報付与手段と、
前記生体情報付与手段で前記生体情報が付与された印刷画像を印刷出力する印刷出力手段と
を具備する印刷システム。
【請求項６】
前記生体情報は、
前記利用者の顔画像であり、
前記取得手段は、
前記印刷装置の近傍に設けられ、前記利用者の顔を撮像するカメラであり、
前記生体情報付与手段は、
前記印刷ジョブの印刷画像に前記カメラで撮像した前記利用者の顔の画像情報を合成する請求項５記載の印刷システム。
【請求項７】
前記生体情報は、
前記利用者の指紋画像であり
前記取得手段は、
前記印刷装置の近傍に設けられ、前記利用者の所定の指の押下操作により該指の指紋画像を読み取る読取手段であり、
前記生体情報付与手段は、
前記印刷ジョブの印刷画像に前記読取手段で読み取った前記利用者の指紋画像情報を合成する請求項５記載の印刷システム。
【発明の詳細な説明】
【技術分野】
【０００１】
本発明は、印刷システムに関し、特に、印刷装置にて印刷された文書を取り出したユーザを特定するために、取り出したユーザの生体情報を印刷物に記録、残留させる技術に関する。
【背景技術】
【０００２】
第三者が個人の情報を簡単に知ることができない個人情報の作成、原画像中に個人の情報を埋め込んで透かし画像を作成する方法および装置に関する技術として、特許文献１に記載された「個人情報作成方法および装置」が開示されている。
【０００３】
上記特許文献１の発明は、履歴書等の個人に重要な情報が記載された文書を提出、保管、移送するなどの際、万一、紛失、遺失した場合でも、個人の重要な情報が第３者に容易に知られることがない個人情報の作成方法および装置の提供を課題とする。
【０００４】
電子透かし技術によって静止画コンテンツ内に情報を目立たないように挿入する秘匿情報の印刷・読み取りシステムに関する技術として、特許文献２に記載された「秘匿情報の印刷・読み取りシステム」が開示されている。
【０００５】
上記特許文献２の発明は、印刷内容と別の情報を秘匿して印刷物を作成することができるシステムを提供することを課題とし、メッセージ入力手段、画像入力手段を具備した印刷装置と、透かし埋め込み手段を具備した透かし埋め込み装置と、透かし検出手段を具備した透かし検出装置とがネットワークに接続され、印刷装置はメッセージ送信者から、印刷対象となる画像と、その画像に秘匿したい情報とを受け付けて、情報と画像を透かし埋め込み装置に送信し、透かし埋め込み装置が情報を画像に埋め込んだ透かし入り画像を作成し、作成した透かし入り画像を印刷装置に送り、印刷装置が透かし入り画像を印刷し、メッセージ受信者に返信する。
【特許文献１】特開平１０−２９５３８３号公報。
【特許文献２】特開２００５―１５９５０２号公報。
【発明の開示】
【発明が解決しようとする課題】
【０００６】
従来、電子文書に電子書名を付加することで、本人が作成した電子文書であることを確認することは可能である。
【０００７】
また、文書を紙に印刷する場合、ドキュメントを作成したユーザの情報は、印刷する画像に対する電子すかしを行うことにより、ユーザの識別情報を埋め込むことによって特定することができる。
【０００８】
また、印刷した文書を取り出したユーザを特定する方法として、たとえば、ＩＣカードの読み取り操作を伴う印刷操作をおこなって、印刷処理の内容をログ情報に記録する技術が提案されている。
【０００９】
しかし、ＩＣカードの貸し借りが行われる場合を考えると、印刷文書を取り出した人間がＩＣカードに記録されたユーザと一致するとは限らないため十分ではない。
【００１０】
本発明は、印刷文書を取り出したユーザの生体情報を印刷物に記録、残留させることにより、印刷物を印刷装置から取り出したユーザを印刷物に印刷された画像、および、印刷物の画像読み取りにて特定することが可能な印刷システムを提供することを目的とする。
【課題を解決するための手段】
【００１１】
上記課題を解決するために、請求項１の発明の印刷システムは、印刷装置で印刷された文書の取り出し操作を行う利用者の生体情報を取得する取得手段と、取得手段で取得した生体情報が付与された印刷文書を出力する出力手段とを具備する。
【００１２】
また、請求項２の発明は、請求項１の発明の印刷システムにおいて、生体情報は、利用者の顔画像であり、取得手段は、印刷装置の近傍に設けられ、利用者の顔を撮像するカメラであり、出力手段は、印刷文書の画像にカメラで撮像した画像を合成して印刷出力する請求項１記載の印刷システム。
【００１３】
また、請求項３の発明は、請求項１の発明の印刷システムにおいて、生体情報は、利用者の指紋画像であり、取得手段は、印刷装置の近傍に設けられ、利用者の所定の指の押下操作により該指の指紋画像を読み取る読取手段であり、出力手段は、印刷文書の画像に読取手段で読み取った指紋画像を合成して印刷出力する。
【００１４】
また、請求項４の発明は、請求項１の発明の印刷システムにおいて、生体情報は、利用者の指紋画像であり、取得手段は、印刷装置の給紙トレイに蓄積された印刷用紙に利用者の所定の指を押し付けることにより該印刷用紙に該指の指紋画像を転写する転写手段であり、出力手段は、転写手段により利用者の指紋画像が転写された用紙を用いて印刷した印刷文書を出力する。
【００１５】
また、請求項５の発明の印刷システムは、印刷装置で印刷された文書の取り出し操作を行う利用者の生体情報を取得する取得手段と、印刷装置で印刷する印刷ジョブを蓄積するジョブ蓄積手段と、ジョブ蓄積手段に蓄積された印刷ジョブの印刷を許可する利用者の生体情報を登録する登録手段と、取得手段で取得した生体情報が登録手段に登録されている生体情報と一致することを条件にジョブ蓄積手段に蓄積された印刷ジョブを印刷を許可する印刷許可手段と、印刷許可手段で許可された印刷ジョブの印刷画像に該当生体情報を付与する生体情報付与手段と、生体情報付与手段で生体情報が付与された印刷画像を印刷出力する印刷出力手段とを具備する。
【００１６】
また、請求項６の発明は、請求項５の発明の印刷システムにおいて、生体情報は、利用者の顔画像であり、取得手段は、印刷装置の近傍に設けられ、利用者の顔を撮像するカメラであり、生体情報付与手段は、印刷ジョブの印刷画像にカメラで撮像した利用者の顔の画像情報を合成する。
【００１７】
また、請求項７の発明は、請求項５の発明の印刷システムにおいて、生体情報は、利用者の指紋画像であり、取得手段は、印刷装置の近傍に設けられ、利用者の所定の指の押下操作により該指の指紋画像を読み取る読取手段であり、生体情報付与手段は、印刷ジョブの印刷画像に読取手段で読み取った利用者の指紋画像情報を合成する。
【発明の効果】
【００１８】
本発明の印刷システムによれば、印刷物に記録した生体情報から印刷文書を取り出したユーザを容易に特定することができる。
【発明を実施するための最良の形態】
【００１９】
本願発明の印刷システムの実施例について添付図面を参照しながら説明する。
【実施例１】
【００２０】
図１は、本発明の印刷システムの第一例を示す構成図である。
【００２１】
図１において、印刷システム１００は、ＰＣ１０、顔認証処理装置２０、印刷装置３０、カメラ４０それぞれがネットワーク５０を介してデータ通信可能に接続して構成される。
【００２２】
印刷システム１００は、カメラ４０にて撮影したユーザの顔画像を、顔認証処理装置２０の顔認証用データベース２１に登録した顔画像と照合し、ユーザ７０に印刷権限があるかを判別する。
【００２３】
ユーザ７０に印刷権限がある場合、印刷システム１００は、印刷データ蓄積部３２１に蓄積した印刷データにて生成されるページ画像の空きスペースにユーザ７０の顔写真を割付けるとともに、ユーザの顔画像を割り付けた文書６０のページ画像に、ユーザ７０の顔画像の画像データを特定する情報を電子すかし処理にて埋め込んだ文書６０を印刷する。
【００２４】
カメラ４０は、ネットワーク５０を介して制御可能なネットワークカメラであって、印刷装置３０に対して文書６０の印刷指示を行い、印刷された文書６０を取り出すユーザ７０の顔画像を撮影可能な位置に設置され、印刷装置３０からの指示に基づいてユーザ７０の顔画像をキャプチャし、キャプチャした顔画像を顔認証処理装置２０に送信する。
【００２５】
顔認証処理装置２０は、印刷装置３０による文書６０の印刷操作を許可する操作権限を与えた各ユーザの顔画像を顔認証用データベース２１に登録して管理し、顔認証によるユーザ７０の印刷操作に対する認証要求を印刷装置３０から受け付けると、ネットワーク５０を介してカメラ４０を制御し、カメラ４０から受信したユーザ７０の顔画像を、顔認証用データベース２１に登録した各ユーザの顔画像と比較し、ユーザ７０に印刷権限があるか否かを判断する。ユーザ７０に印刷権限がある場合は、受信したユーザ７０の顔画像を所定のサイズおよび解像度による画像データに変換したデータを判断結果とともに印刷装置３０に送信する。
【００２６】
ＰＣ１０は、文書６０の作成編集操作を行うソフトウェアにて文書６０の印刷指示操作を検知すると、印刷装置３０のプリンタドライバにて文書６０の印刷データを生成して印刷装置３０に送信する。
【００２７】
印刷装置３０は、印刷装置全体を統括して制御する印刷制御部３１と、ネットワーク５０を介して受信した印刷データを蓄積して記憶管理する印刷データ蓄積部３２１を有する印刷装置記憶部３２と、画像形成部３３、印刷起動スイッチ３４を含む操作パネルを具備する。
【００２８】
印刷制御部３１は、印刷起動スイッチ３４にてユーザ７０による印刷指示操作を検知した場合、顔認証処理装置２０に対して印刷装置３０の近傍にて印刷操作を行っているユーザ７０の顔認証処理を指示する。
【００２９】
印刷制御部３１は、顔認証処理装置２０にてユーザ７０の印刷操作が許可された場合、顔認証処理装置２０から受信したユーザ７０の顔画像を、印刷データ蓄積部３２１から読み出した印刷データにて生成される文書６０のページ画像の空き領域に割り付けて合成する画像処理を行う顔写真合成部３１１と、顔写真合成部３１１にて作成された合成画像に、顔認証処理装置２０から受信した顔画像のデータを埋め込む電子すかし処理を行って、画像形成部３３にて、顔画像印刷部６１、生体情報埋め込み画像６２を有した文書６０の印刷画像を用紙に印刷するための最終的なページ印刷データを作成して画像形成部３３に出力する電子すかし処理部３１２、文書６０を印刷した場合は、顔画像印刷部６１に印刷したユーザ７０の顔画像データを特定する情報を含む印刷処理の内容をログ情報３２３に記録するログ記録部３１３を有する。
【００３０】
画像形成部３３は、印刷制御部３１の電子すかし処理部３１２から出力されるページ印刷データに基づいてユーザ７０の顔写真が印刷された顔画像印刷部６１と、顔写真の画像データをページ画像に埋め込んだ生体情報埋め込み画像６２を有した印刷画像を用紙に転写して文書６０を作成し排出する。
【００３１】
次に、図１に示した印刷システム１００における印刷処理全体の流れを、図２のシーケンス図に示して説明する。
【００３２】
ＰＣ１０は、ユーザ７０による文書６０の印刷指示操作に基づいて印刷データを作成し印刷装置３０に送信し（Ｓ１０１）、印刷装置３０は、ＰＣ１０から受信した印刷データを印刷データ蓄積部３２１に蓄積する（Ｓ１０２）。
【００３３】
印刷データ蓄積部３２１に蓄積した印刷データの選択操作および印刷起動スイッチ３４による印刷開始操作を検知すると、印刷装置３０は、印刷起動スイッチ３４を操作したユーザ７０の顔認証を顔認証処理装置２０に指示する制御データを作成して顔認証処理装置２０に送信する（Ｓ１０３）。
【００３４】
顔認証処理装置２０は、印刷装置３０からユーザ７０の顔認証が指示されると、ネットワーク５０を介してカメラ４０を制御し、ユーザ７０の顔画像のキャプチャおよびキャプチャした画像を自装置に送信するよう指示する（Ｓ１０４）。
【００３５】
カメラ４０は、顔認証処理装置２０の制御に基づいてユーザ７０の顔画像をキャプチャし（Ｓ１０５）、キャプチャした画像を顔認証処理装置２０に送信する（Ｓ１０６）。
【００３６】
顔認証処理装置２０は、カメラ４０から受信したユーザ７０の顔画像のキャプチャデータを、顔認証用データベース２１に登録した各顔画像の登録データと比較して、一致するデータの有無を判断して顔認証を行い（Ｓ１０７）、カメラ４０がキャプチャしたユーザ７０の顔画像に一致する登録データがある場合は、ユーザ７０による印刷操作を許可する認証結果と、ユーザ７０の顔画像データを印刷装置３０に送信する（Ｓ１０８）。
【００３７】
印刷装置３０は、ユーザ７０による印刷操作が顔認証処理装置２０にて許可されると、ユーザ７０が選択した印刷データを印刷データ蓄積部３２１にて特定して読み出し、顔認証処理装置２０から受信した顔画像の画像データと読み出した印刷データに基づいて、顔写真をページの空き領域に割り付ける合成処理を行い（Ｓ１１０）、合成処理によって顔写真が合成された印刷画像に、さらに、ユーザ７０の顔画像の画像データを埋め込む電子透かし処理を電子すかし処理部３１２にて実施し（Ｓ１１１）、画像形成部３３にて顔画像印刷部６１、生体情報埋め込み画像６２を有した文書６０を印刷する（Ｓ１１２）。
【００３８】
さらに、印刷装置３０は、顔画像印刷部６１に印刷したユーザ７０の顔画像を含むログ情報を含む印刷処理の内容をログ情報３２２に記録する（Ｓ１０９）
【実施例２】
【００３９】
次に、生体情報として印刷物を取り出したユーザの指紋を使用する場合の印刷システムの構成例を示して説明する。
【００４０】
図３は、本発明の印刷システムの第２の例を示したシステム構成図である。
【００４１】
図３において、印刷システム１００は、指紋認証処理装置９０、ＰＣ１０、印刷装置３０がネットワーク５０を介してデータ通信可能に接続され、印刷装置３０に対する印刷操作および印刷装置３０にて印刷した文書６０を取り出すユーザ７０の指紋を記録した文書６０の印刷処理を行う。
【００４２】
指紋認証処理装置９０は、印刷装置３０に対する印刷操作を許可したユーザの指紋画像を指紋画像データベース９１に登録して管理し、印刷装置３０から受信したユーザ７０の指紋画像を指紋画像データベース９１に登録した各指紋画像と比較し、一致する場合はユーザ７０に対する印刷操作を許可し、それ以外のユーザに対しては、印刷操作を禁止する認証結果を印刷装置３０に送信する。
【００４３】
ＰＣ１０は、印刷装置３０に対応するプリンタドライバにて、文書６０を作成して編集するプログラムからの印刷指示操作に基づいて印刷データを作成し、ネットワーク５０を介して印刷装置３０に作成した印刷データを送信する。
【００４４】
印刷装置３０は、印刷装置３０全体を統括制御して文書６０の印刷制御を行う印刷制御部３１、ＰＣ１０から受信した印刷データを記録して管理するための印刷データ蓄積部３２１、ログ情報３２３を有した印刷装置記憶部３２、画像形成部３３、給紙トレイユニット３５を有する。
【００４５】
印刷制御部３１において、指紋画像合成部３１４は、印刷データ蓄積部３２１に蓄積した印刷データの印刷装置３０に設けられた操作表示部（図示せず）による選択操作および給紙トレイユニット３５に設けられた指紋付着印刷開始操作部８０の操作によるユーザ７０の印刷開始操作を検知し、指紋画像読み取り部３５１にて読み取られた指紋画像を指紋認証処理装置９０に送信し、ユーザ７０の指紋認証にもとづく印刷処理実施の可否を指紋認証処理装置９０に問い合わせ、指紋認証処理装置９０にてユーザ７０の印刷操作が許可された場合は、ユーザ７０が選択した印刷データを印刷データ蓄積部３２１から読み出し、指紋画像読み取り部３５１にて読み取られた指紋画像を文書６０のページ画像の空きスペースに割り付けて合成するためのデータ処理を行って合成画像を生成する。
【００４６】
また、印刷制御部３１において、電子すかし処理部３１２は、指紋画像合成部３１４にて処理された合成画像にユーザ７０の指紋画像を埋め込む電子すかし処理を行って、指紋画像印刷部６３、生体情報埋め込み画像６２を有した文書６０の印刷画像を画像形成部３３にて用紙に印刷するための最終的なページ印刷データを作成して画像形成部３３に出力する。
【００４７】
画像形成部３３は、指紋付着印刷開始操作部８０にてユーザ７０の指紋が付着された印刷用紙８１に、電子すかし処理部３１２から受信したページ印刷データに基づいて作成した印刷画像を転写して文書６０を作成し排出する。
【００４８】
図３に示した指紋付着印刷開始操作部８０の詳細を図４に示してさらに説明する。
【００４９】
図４において、給紙トレイユニット３５の指紋付着印刷開始操作部８０には、印刷された文書文書６０を取り出すユーザ７０の指７１が、紫外線発行物質を含む特殊インクにて湿らせたスタンプパッド８５に触れたのちに印刷用紙８１に触れることが可能な開口部８６が設けられている。
【００５０】
ユーザ７０の指７１の指紋を印刷用紙８１に付着させる動作を印刷開始スイッチ８４が検知すると、指紋が付着した用紙の搬送を開始するとともに紫外線光源８２の点灯を開始する。
【００５１】
指紋画像読み取りカメラ８３は、紫外線光源８２の点灯によって発光した紫外線発光物質の指紋画像を印刷用紙８１から読み取り、指紋画像の読み取りデータを給紙トレイユニット３５の指紋画像読み取り部３５１を介して印刷制御部３１に出力する。
【００５２】
次に、図３に示した印刷システム１００における印刷処理の流れを図５のシーケンス図に示して説明する。
【００５３】
ＰＣ１０は、文書作成編集プログラムにおける印刷操作を検出し（Ｓ２０１）、プリンタドライバは、文書６０の印刷データを作成して印刷装置３０に出力する（Ｓ２０２）。
【００５４】
印刷装置３０は、ＰＣ１０からネットワーク５０を介して受信した印刷データを、印刷データ蓄積部３２１に蓄積する（Ｓ２０３）。
【００５５】
印刷装置３０は、印刷データ蓄積部３２１に蓄積した印刷データをユーザ７０に選択させるとともに、印刷データの選択操作につづいて、指紋付着印刷開始操作部８０による指紋押下操作による印刷開始操作をユーザ７０に促す操作画面を操作表示部に出力する（Ｓ２０４）。
【００５６】
印刷開始スイッチ８４にてユーザ７０による指紋押下操作を検知すると、指紋画像読み取り部３５１にてユーザ７０の指紋画像を読み取る（Ｓ２０５）。
【００５７】
印刷装置３０は、ユーザ７０の指紋画像を指紋認証処理装置９０に、送信して、ユーザ７０に印刷操作の権限があるか否かを問い合わせる（Ｓ２０６）。
【００５８】
指紋認証処理装置９０は、受信したユーザ７０の指紋画像を、指紋画像データベース９１に登録した各ユーザの指紋画像と照合して、印刷操作の権限を有したユーザ７０であるか否かを判別し（Ｓ２０７）、判別結果を印刷装置３０に送信する（Ｓ２０９）。
【００５９】
また、指紋認証処理装置９０は、印刷装置３０から受信した指紋画像に基づくユーザ認証の結果をログ情報３２２に記録する（Ｓ２０８）。
【００６０】
指紋認証処理装置９０からユーザ対する印刷権限の問合せ応答を受信すると印刷装置３０は、ユーザ７０の指紋画像を、文書６０のページ画像の空きスペースに指紋画像を割り付けて合成する画像処理を指紋画像合成部３１４にて行い、さらに、合成した画像に  にユーザ７０の指紋画像を電子透かし処理にて埋め込み処理を行い文書６０のページ印刷データを作成して（Ｓ２１０）、指紋画像印刷部６３、生体情報埋め込み画像６２を有した文書６０を印刷する（Ｓ２１１）。
【産業上の利用可能性】
【００６１】
本発明の印刷システムは、機密文書を取り扱う文書管理システム等に接続されて使用される印刷システムに利用可能であり、印刷装置にて印刷された文書の持ち出し人物を特定する場合に有効である。
【図面の簡単な説明】
【００６２】
【図１】本願発明の印刷システムの第１の例を示す構成図。
【図２】図１に示した印刷システムにおける印刷処理の例を示すシーケンス図。
【図３】本願発明の印刷システムの第２の例を示す構成図。
【図４】図３に示した指紋押下印刷開始操作部の詳細を示す図。
【図５】図３示した印刷システムにおける印刷処理の例を示すシーケンス図。
【符号の説明】
【００６３】
１００  印刷システム
１０  ＰＣ
２０  顔認証処理装置
２１  顔認証用データベース
３０  印刷装置
３１  印刷制御部
３１１  顔写真合成部
３１２  電子すかし処理部
３１３  ログ記録部
３１４  指紋画像合成部
３２  印刷装置記憶部
３２１  印刷データ蓄積部
３２２  ログ情報
３３  画像形成部
３４  印刷起動スイッチ
３５  給紙トレイユニット
３５１  指紋画像読み取り部
４０  カメラ
５０  ネットワーク
６０  文書
６１  顔画像印刷部
６２  生体情報埋め込み画像
６３  指紋画像印刷部
７０  ユーザ
７１  指
８０  指紋付着印刷開始操作部
８１  印刷用紙
８２  紫外線光源
８３  指紋画像読み取りカメラ
８４  印刷開始スイッチ
８５  スタンプパッド
８６  開口部
９０  指紋認証処理装置
９１  指紋画像データベース
【図１】
2008134818.tif 000003
【図２】
2008134818.tif 000004
【図３】
2008134818.tif 000005
【図４】
2008134818.tif 000006
【図５】
2008134818.tif 000007